(57)【要約】【課題】ロール紙の横ずれを防止する。【解決手段】ロール紙保持装置３０において、ホルダ部３１−１，２が、ロール紙３５を両側面側から挟む。そして、ベース部３３が、ホルダ部３１−１及びホルダ部３１−２にロール紙３５が挟まれた状態で、ホルダ部３１−１及びホルダ部３１−２を支持する。そして、ホルダ部３１−１及びホルダ部３１−２のそれぞれが、板状で且つロール紙３５の側面と第１の面４３で当接するフランジ３７と、第１の面４３から立ち上がり且つロール紙３５の中空軸心３６に挿入される軸部４１と、第１の面４３と反対側の第２の面４５から立ち上がり且つベース部３３に支持される軸部３９とを有する。【選択図】図９
2016108121.tif 000002
【特許請求の範囲】
【請求項１】
ロール紙を両側面側から挟む、一対の第１ホルダ部及び第２ホルダ部と、
前記第１ホルダ部及び前記第２ホルダ部に前記ロール紙が挟まれた状態で、前記第１ホルダ部及び前記第２ホルダ部を支持するベース部と、
を具備し、
前記第１ホルダ部及び前記第２ホルダ部は、前記ロール紙の側面と第１の面で当接するフランジと、前記第１の面から立ち上がり且つ前記ロール紙の中空軸心に挿入される第１の軸部と、前記第１の面と反対側の第２の面から立ち上がり且つ前記ベース部に支持される第２の軸部と、を具備する、
ことを特徴とするロール紙保持装置。
【請求項２】
前記ベース部は、長方形状の底板と、前記底板の対向する２辺から立ち上がり且つ前記第１ホルダ部の前記第２の軸部及び前記第２ホルダ部の前記第２の軸部を上面でそれぞれ支持する第１の側壁及び第２の側壁と、を具備し、
前記第１ホルダ部及び前記第２ホルダ部のそれぞれの前記第２の軸部の外周面は、前記第２の軸部の中心に向かって傾く、
ことを特徴とする請求項１に記載のロール紙保持装置。
【請求項３】
前記ベース部は、長方形状の底板と、前記底板の対向する２辺から立ち上がり且つ前記第１ホルダ部の前記第２の軸部及び前記第２ホルダ部の前記第２の軸部を上面でそれぞれ支持する第１の側壁及び第２の側壁と、を具備し、
前記第１の側壁及び前記第２の側壁のそれぞれの前記上面は、前記ベース部の中央に近い場所ほど前記底板からの高さが低い、
ことを特徴とする請求項１に記載のロール紙保持装置。
【発明の詳細な説明】
【技術分野】
【０００１】
本発明は、ロール紙保持装置に関する。
【背景技術】
【０００２】
従来、ロール紙を扱うプリンタ装置として、例えば、空港に設置されている自動チェックイン端末、銀行などに設置されレシートを排出する現金自動取引装置、及び、空港のカウンターに設置され且つ預け荷物に付けるシールを排出する装置等を挙げることができる。
【０００３】
このようなロール紙を扱うプリンタ装置は、プリンタ装置本体と、ロール紙を保持するロール紙保持装置とを含む。例えば、ロール紙の中空の軸心に挿通される支持軸の両端をベース部で支えることにより、ロール紙を保持するロール紙保持装置が提案されている。このロール紙保持装置の構成により、プリンタ装置本体でロール紙を所定の長さだけ引き込み、この引き込みに応じてロール紙が支持軸の周りを回転することで、ロール紙保持装置はロール紙をプリンタ装置本体に対して供給することができる。
【先行技術文献】
【特許文献】
【０００４】
【特許文献１】特開２０１３−０８６２６７号公報
【発明の概要】
【発明が解決しようとする課題】
【０００５】
しかしながら、上記従来のロール紙保持装置では、ロール紙の巻きが緩み支持軸の方向でずれること、つまり「横ずれ」が生じる可能性がある。このロール紙の支持軸の方向でのずれは、プリンタ装置本体の印刷処理位置からロール紙の印刷予定位置がずれてしまう「位置ずれ」、又は、プリンタ装置本体におけるジャム等を引き起こす要因となる。
【０００６】
開示の技術は、上記に鑑みてなされたものであって、ロール紙の横ずれを防止することができる、ロール紙保持装置を提供することを目的とする。
【課題を解決するための手段】
【０００７】
開示の態様では、ロール紙保持装置は、ロール紙を両側面側から挟む、一対の第１ホルダ部及び第２ホルダ部と、前記第１ホルダ部及び前記第２ホルダ部に前記ロール紙が挟まれた状態で、前記第１ホルダ部及び前記第２ホルダ部を支持するベース部とを具備する。前記第１ホルダ部及び前記第２ホルダ部は、前記ロール紙の側面と第１の面で当接するフランジと、前記第１の面から立ち上がり且つ前記ロール紙の中空軸心に挿入される第１の軸部と、前記第１の面と反対側の第２の面から立ち上がり且つ前記ベース部に支持される第２の軸部と、を具備する。
【発明の効果】
【０００８】
開示の態様によれば、ロール紙の横ずれを防止することができる。
【図面の簡単な説明】
【０００９】
【図１】図１は、一実施例のロール紙保持装置を含むプリンタ装置の一例を示す図である。
【図２】図２は、前方右斜め上から見た第２のホルダ部を示す図である。
【図３】図３は、右横から見た第２のホルダ部を示す図である。
【図４】図４は、図３のＡ−Ａ矢視断面図である。
【図５】図５は、前方右斜め上から見たベース部を示す図である。
【図６】図６は、右横から見たベース部を示す図である。
【図７】図７は、図６のＢ−Ｂ矢視断面図である。
【図８】図８は、右横から見た、ロール紙を挟んでいる状態のベース部を示す図である。
【図９】図９は、図８のＣ−Ｃ矢視断面図である。
【図１０】図１０は、図９のサークルＣ１で囲まれた部分の拡大図である。
【図１１】図１１は、ロール紙保持装置のセット方法の説明に供する図である。
【図１２】図１２は、プリンタ装置の動作の説明に供する図である。
【図１３】図１３は、ロール紙保持装置の構成のバリエーションを示す図である。
【図１４】図１４は、ロール紙保持装置の構成のバリエーションを示す図である。
【発明を実施するための形態】
【００１０】
以下に、本願の開示するロール紙保持装置の実施形態を図面に基づいて詳細に説明する。なお、この実施形態により本願の開示するロール紙保持装置が限定されるものではない。また、実施形態において同一の機能を有する構成には同一の符号を付し、重複する説明は省略される。
【００１１】
［プリンタ装置の構成例］
図１は、一実施例のロール紙保持装置を含むプリンタ装置の一例を示す図である。図１において、プリンタ装置１０は、プリンタ装置本体２０と、プリンタ装置本体２０の後ろ側に配設されたロール紙保持装置３０とを有する。ロール紙保持装置３０は、ロール紙３５を両側から挟む、一対のホルダ部３１−１，２を有する。また、ロール紙保持装置３０は、ホルダ部３１−１，２にロール紙３５が挟まれた状態で、ホルダ部３１−１，２を支持するベース部３３を有する。ホルダ部３１−１，２は、同じ構成を有している。以下では、ホルダ部３１−１，２を特に区別しない場合には、「ホルダ部３１」と呼ぶことがある。また、ホルダ部３１−１を「第１のホルダ部」と呼び、ホルダ部３１−２を「第２のホルダ部」と呼ぶことがある。
【００１２】
図２は、前方右斜め上から見た第２のホルダ部を示す図である。図３は、右横から見た第２のホルダ部を示す図である。図４は、図３のＡ−Ａ矢視断面図である。
【００１３】
図２〜４に示すように、ホルダ部３１は、円盤状のフランジ３７と、軸部３９と、軸部４１とを有する。フランジ３７は、面４３でロール紙３５の側面と当接する。軸部４１は、面４３から立ち上がり、且つ、ロール紙３５の中空軸心に挿入される。軸部３９は、面４３と反対側の面４５から立ち上がり、且つ、ベース部３３に支持される。また、軸部３９の外周面４７は、軸部３９の中心に向かって傾いている。すなわち、軸部３９の外周面４７は、スロープ状に形成され、フランジ３７の面４５から遠いほど、軸部３９の中心に近い。また、換言すれば、軸部３９の外周面４７は、円錐台の側面と同等の形状を有している。
【００１４】
図５は、前方右斜め上から見たベース部を示す図である。図６は、右横から見たベース部を示す図である。図７は、図６のＢ−Ｂ矢視断面図である。
【００１５】
図５〜７に示すように、ベース部３３は、長方形状の底板５１と、底板５１の対向する２辺、つまり、左辺及び右辺からそれぞれ立ち上がる側壁５３−１，２と、底板５１の前辺及び後辺からそれぞれ立ち上がる前壁５５及び後壁５７とを有する。側壁５３−１の上面５９−１は、ベース部３３の中央に近い場所ほど底板５１からの高さが低く、側壁５３−２の上面５９−２は、ベース部３３の中央に近い場所ほど底板５１からの高さが低い。すなわち、上面５９−１と上面５９−２とは、ベース部３３の中央に近い場所ほど互いの離間距離が近い、テーパを形成している。
【００１６】
図８は、右横から見た、ロール紙を挟んでいる状態のベース部を示す図である。図９は、図８のＣ−Ｃ矢視断面図である。図１０は、図９のサークルＣ１で囲まれた部分の拡大図である。
【００１７】
図８〜９に示すように、ホルダ部３１−１，２は、それぞれのフランジ３７−１，２でロール紙３５を両側面側から挟み込む。この構成により、ロール紙３５の横ずれを防止することができる。
【００１８】
図８〜１０に示すように、ホルダ部３１−１において軸部３９−１の外周面４７−１は、ベース部３３の側壁５３−１の上面５９−１に支持され、ホルダ部３１−２において軸部３９−２の外周面４７−２は、ベース部３３の側壁５３−２の上面５９−２に支持される。そして、軸部３９−１の外周面４７−１は、軸部３９−１の中心に向かって傾いており、軸部３９−２の外周面４７−２は、軸部３９−２の中心に向かって傾いている。また、側壁５３−１の上面５９−１は、ベース部３３の中央に近い場所ほど底板５１からの高さが低く、側壁５３−２の上面５９−２は、ベース部３３の中央に近い場所ほど底板５１からの高さが低い。この構成により、図９に示すように、ロール紙３５を挟んだ状態のホルダ部３１−１，２の自重によってホルダ部３１−１，２を互いに近づける力Ｆ１が発生し、この力Ｆ１によってホルダ部３１−１，２はロール紙３５を両側面側から締め付けることができるので、さらにロール紙３５の横ずれを防止できる。
【００１９】
［プリンタ装置の動作例］
以上の構成を有するプリンタ装置１０の動作の一例について説明する。
【００２０】
図１１は、ロール紙保持装置のセット方法の説明に供する図である。図１１に示すように、まず、ロール紙３５の中空軸心３６にホルダ部３１−１の軸部４１−１及びホルダ部３１−２の軸部４１−２を挿入し、ホルダ部３１−１，２によってロール紙３５を両側面側から挟み込む。そして、ロール紙３５を挟み込んだ状態でホルダ部３１−１，２の下側の部分を保持空間３４にはめ込む。このとき、ホルダ部３１−１において軸部３９−１の外周面４７−１は、ベース部３３の側壁５３−１の上面５９−１に支持され、ホルダ部３１−２において軸部３９−２の外周面４７−２は、ベース部３３の側壁５３−２の上面５９−２に支持される。
【００２１】
図１２は、プリンタ装置の動作の説明に供する図である。図１２に示すように、ロール紙３５の先端部がプリンタ装置本体２０の挿入口２１に挿入される。そして、プリンタ装置本体２０は、プリント時にロール紙３５を所定の長さだけ引き込む。この引き込みに応じて、ロール紙３５は、ホルダ部３１−１の軸部４１−１及びホルダ部３１−２の軸部４１−２の周りを回転する。そして、プリンタ装置本体２０は、印刷物を排出口２２から排出する。
【００２２】
以上のように、本実施例によれば、ロール紙保持装置３０において、ホルダ部３１−１，２が、ロール紙３５を両側面側から挟む。そして、ベース部３３が、ホルダ部３１−１及びホルダ部３１−２にロール紙３５が挟まれた状態で、ホルダ部３１−１及びホルダ部３１−２を支持する。そして、ホルダ部３１−１及びホルダ部３１−２のそれぞれが、板状で且つロール紙３５の側面と第１の面４３で当接するフランジ３７と、第１の面４３から立ち上がり且つロール紙３５の中空軸心３６に挿入される軸部４１と、第１の面４３と反対側の第２の面４５から立ち上がり且つベース部３３に支持される軸部３９とを有する。
【００２３】
このロール紙保持装置３０の構成により、ホルダ部３１−１，２がそれぞれのフランジ３７でロール紙３５を両側面側から挟み込むことができるので、ロール紙３５の横ずれを防止することができる。
【００２４】
また、ロール紙保持装置３０において、ホルダ部３１−１において軸部３９−１の外周面４７−１は、ベース部３３の側壁５３−１の上面５９−１に支持され、ホルダ部３１−２において軸部３９−２の外周面４７−２は、ベース部３３の側壁５３−２の上面５９−２に支持される。そして、軸部３９−１の外周面４７−１は、軸部３９−１の中心に向かって傾いており、軸部３９−２の外周面４７−２は、軸部３９−２の中心に向かって傾いている。また、側壁５３−１の上面５９−１は、ベース部３３の中央に近い場所ほど底板５１からの高さが低く、側壁５３−２の上面５９−２は、ベース部３３の中央に近い場所ほど底板５１からの高さが低い。
【００２５】
このロール紙保持装置３０の構成により、ロール紙３５を挟んだ状態のホルダ部３１−１，２の自重によってホルダ部３１−１，２を互いに近づける力が発生し、この力によってホルダ部３１−１，２はロール紙３５を両側面側から締め付けることができるので、さらにロール紙３５の横ずれを防止できる。
【００２６】
ここで、以上の説明では、軸部３９の外周面４７及び側壁５３の上面５９の両方に傾斜が設けられているものとして説明を行ったが、これに限定されない。例えば、図１３に示すように、軸部３９の外周面４７に傾斜が設けられる一方で、側壁５３の上面５９に傾斜が設けられない構成でもよいし、逆に、図１４に示すように、側壁５３の上面５９に傾斜が設けられる一方で、軸部３９の外周面４７に傾斜が設けられない構成であってもよい。図１３及び図１４は、ロール紙保持装置の構成のバリエーションを示す図である。
【符号の説明】
【００２７】
１０  プリンタ装置
２０  プリンタ装置本体
２１  挿入口
２２  排出口
３０  ロール紙保持装置
３１  ホルダ部
３３  ベース部
３４  保持空間
３５  ロール紙
３６  中空軸心
３７  フランジ
３９，４１  軸部
４３，４５  面
４７  外周面
５１  底板
５３  側壁
５５  前壁
５７  後壁
５９  上面
【図１】
2016108121.tif 000003
【図２】
2016108121.tif 000004
【図３】
2016108121.tif 000005
【図４】
2016108121.tif 000006
【図５】
2016108121.tif 000007
【図６】
2016108121.tif 000008
【図７】
2016108121.tif 000009
【図８】
2016108121.tif 000010
【図９】
2016108121.tif 000011
【図１０】
2016108121.tif 000012
【図１１】
2016108121.tif 000013
【図１２】
2016108121.tif 000014
【図１３】
2016108121.tif 000015
【図１４】
2016108121.tif 000016